(57)【要約】 【課題】現在放送されている番組のリアルタイム視聴を促す。【解決手段】リアルタイム放送制御システム１００は、インターネットなどのネットワークを介して接続された、情報端末であるスマートフォン１０１と、コンテンツ提供サーバであるメールサーバ１０２とを備える。スマートフォン１０１が、メールサーバ１０２から、現在放送中の特定番組を視聴させるための視聴命令を記述した電子メールを受信し、当該電子メールに記述された視聴命令が実行されることで、起動させ、または起動した状態のテレビ受信機１０が特定のチャンネルに設定される。【選択図】図１
2013211828.tif 000002
【特許請求の範囲】
【請求項１】
コンテンツ提供サーバにネットワークを介して接続され、番組視聴用端末を操作可能な情報端末であって、
前記コンテンツ提供サーバから、現在放送中の特定番組を視聴させるための視聴命令を記述したコンテンツを受信する手段と、
受信した前記コンテンツに記述された視聴命令を実行して、起動させ、または起動した状態の前記番組視聴用端末を特定のチャンネルに設定する手段と、
を備えたこと、を特徴とする情報端末。
【請求項２】
コンテンツ提供サーバにネットワークを介して接続され、番組視聴を可能にするテレビ表示機能部を備えた番組視聴用情報端末であって、
前記コンテンツ提供サーバから、現在放送中の特定番組を視聴させるための視聴命令を記述したコンテンツを受信する手段と、
受信した前記コンテンツに記述された視聴命令を実行して、起動させ、または起動した状態の前記テレビ表示機能部を特定のチャンネルに設定する手段と、
を備えたこと、を特徴とする番組視聴用情報端末。
【請求項３】
請求項１または請求項２の情報端末において、
前記コンテンツが、他の情報端末から送信される電子メールであり、
前記他の情報端末において、視聴命令を記述した電子メールが作成されること、
を特徴とする情報端末。
【請求項４】
請求項１または請求項２の情報端末において、
前記コンテンツが、他の情報端末から送信される電子メールであり、
前記コンテンツ提供サーバが、前記電子メールのメッセージに放送局名が含まれていると判断した場合に当該放送局で現在放送中の番組を視聴させる視聴命令を電子メールに記述し、または、前記電子メールのメッセージに現在放送中の番組名が含まれていると判断した場合に当該番組名に対応する番組を視聴させる視聴命令を電子メールに記述すること、
を特徴とする情報端末。
【請求項５】
コンテンツ提供サーバにネットワークを介して接続され、番組視聴用端末を操作可能な情報端末であって、
前記コンテンツ提供サーバに接続して、現在放送中の特定番組を視聴させるための視聴命令を記述したコンテンツを閲覧する手段と、
閲覧した前記コンテンツに記述された視聴命令を実行して、起動させ、または起動した状態の前記番組視聴用端末を特定のチャンネルに設定する手段と、
を備えたこと、を特徴とする情報端末。
【請求項６】
コンテンツ提供サーバにネットワークを介して接続され、番組視聴を可能にするテレビ表示機能部を備えた番組視聴用情報端末であって、
前記コンテンツ提供サーバに接続して、現在放送中の特定番組を視聴させるための視聴命令を記述したコンテンツを閲覧する手段と、
閲覧した前記コンテンツに記述された視聴命令を実行して、起動させ、または起動した状態の前記テレビ表示機能部を特定のチャンネルに設定する手段と、
を備えたこと、を特徴とする番組視聴用情報端末。
【請求項７】
請求項５または請求項６の情報端末において、
前記コンテンツ提供サーバが、コンテンツに放送局名が含まれていると判断した場合に当該放送局で現在放送中の番組を視聴させる視聴命令を当該コンテンツに記述し、または、コンテンツに現在放送中の番組名が含まれていると判断した場合に当該番組名に対応する番組を視聴させる視聴命令をコンテンツに記述すること、
を特徴とする情報端末。
【請求項８】
コンテンツ提供サーバにネットワークを介して接続され、番組を視聴するための操作が可能な情報端末であって、
所定時に前記コンテンツ提供サーバから自動的に送信された、現在放送中の特定番組を視聴させるための視聴命令を記述したコンテンツを受信する手段と、
前記コンテンツに記述された視聴命令を実行して、起動させ、または起動した状態の番組視聴用端末またはテレビ表示機能部を特定のチャンネルに設定する手段と、
を備えたこと、を特徴とする情報端末。
【請求項９】
請求項８の情報端末において、
前記情報端末は、電子番組表サーバにネットワークを介して接続されており、さらに、
前記電子番組表サーバから電子番組表を受信する手段と、
前記電子番組表に表示された将来放送予定の番組の中から特定番組を選択する手段と、
選択した前記特定番組の番組視聴データを前記コンテンツ提供サーバに登録する手段と、
を備えたこと、を特徴とする情報端末。
【請求項１０】
請求項８の情報端末において、
将来放送予定の番組の中から特定番組を検索するためのキーワードを入力する手段と、
入力した前記キーワードに基づいて抽出した特定番組の番組視聴データを前記コンテンツ提供サーバに登録する手段と、
を備えたこと、を特徴とする情報端末。
【請求項１１】
番組を視聴するための操作が可能な情報端末であって、
予め現在放送中の特定番組を視聴させるための視聴命令を記述したコンテンツを、所定時に表示するように登録する手段と、
所定時に現在放送中の特定番組を視聴させるための視聴命令を記述したコンテンツを自動的に表示する手段と、
前記コンテンツに記述された視聴命令を実行して、起動させ、または起動した状態の番組視聴用端末またはテレビ表示機能部を特定のチャンネルに設定する手段と、
を備えたこと、を特徴とする情報端末。
【請求項１２】
請求項１１の情報端末において、
前記情報端末は、電子番組表サーバにネットワークを介して接続されており、さらに、
前記電子番組表サーバから電子番組表を受信する手段と、
前記電子番組表に表示された将来放送予定の番組の中から特定番組を選択する手段と、
選択した前記特定番組の番組視聴データを登録する記憶部と、
を備えたこと、を特徴とする情報端末。
【請求項１３】
請求項１１の情報端末において、
将来放送予定の番組の中から特定番組を検索するためのキーワードを入力する手段と、
入力した前記キーワードに基づいて抽出した特定番組の番組視聴データを登録する記憶部と、
を備えたこと、を特徴とする情報端末。
【請求項１４】
請求項１〜請求項１３の何れかの情報端末を実現するためのプログラムであって、
コンピュータに、請求項１〜請求項７の何れかに記載の手段として機能させること、を特徴とするプログラム。
【請求項１５】
請求項１〜請求項１３のいずれかの情報端末によって実現される情報端末から視聴された番組の履歴データを受けて、当該履歴データを情報端末ＩＤと対応付けて記憶する広告サーバであって、
前記履歴データに関連づけられた広告コンテンツをデータベースから抽出する手段と、
前記情報端末ＩＤに対応する情報端末に前記広告コンテンツを送信する手段と、
を備えたこと、
を特徴とする広告サーバ。
【請求項１６】
請求項１５の広告サーバにおいて、
さらに、前記情報端末の位置情報データを受けて、前記履歴データおよび前記位置情報データに関連づけられた広告コンテンツをデータベースから抽出すること、
を特徴とする広告サーバ。
【請求項１７】
現在放送中の特定番組を視聴させるための視聴命令を記述したコンテンツを送信するためのコンテンツ提供サーバであって、
少なくとも放送開始時間およびチャンネル情報を含む番組視聴データを記憶する記憶部と、
前記番組視聴データに基づいて、現在放送中の特定番組を視聴させるための視聴命令を記述したコンテンツを生成する手段と、
前記放送開始時間またはその直前に、特定番組を視聴させるための視聴命令を記述したコンテンツを情報端末に自動的に送信する手段と、
を備えたこと、を特徴とするコンテンツ提供サーバ。
【請求項１８】
現在放送中の特定番組を視聴させるための視聴命令を記述したコンテンツを送信するためのコンテンツ提供サーバであって、
現在放送中の番組のうち、番組評価指数が所定のしきい値を超えた番組であると判断された特定番組について、前記特定番組を視聴させるための視聴命令を記述したコンテンツを生成する手段と、
前記特定番組を視聴させるための視聴命令を記述したコンテンツを直ちに情報端末に送信する手段と、
を備えたこと、を特徴とするコンテンツ提供サーバ。
【請求項１９】
番組を視聴するための操作が可能な情報端末と、前記情報端末にコンテンツを提供するコンテンツ提供サーバと、をネットワークを介して接続したリアルタイム放送制御システムであって、
前記情報端末が、
前記コンテンツ提供サーバから、現在放送中の特定番組を視聴させるための視聴命令を記述したコンテンツを受信する手段と、
受信した前記コンテンツに記述された視聴命令を実行して、起動させ、または起動した状態の番組視聴用情報端末またはテレビ表示機能部を特定のチャンネルに設定する手段と、
を備えたこと、
を特徴とするリアルタイム放送制御システム。
【請求項２０】
番組を視聴するための操作が可能な情報端末と、前記情報端末にコンテンツを提供するコンテンツ提供サーバと、をネットワークを介して接続したリアルタイム放送制御システムであって、
前記情報端末が、
前記コンテンツ提供サーバに接続して、現在放送中の特定番組を視聴させるための視聴命令を記述したコンテンツを閲覧する手段と、
閲覧した前記コンテンツに記述された視聴命令を実行して、起動させ、または起動した状態の番組視聴用情報端末またはテレビ表示機能部を特定のチャンネルに設定する手段と、
を備えたこと、
を特徴とするリアルタイム放送制御システム。
【請求項２１】
番組を視聴するための操作が可能な情報端末を制御するためのリアルタイム放送制御方法であって、
現在放送中の特定番組を視聴させるための視聴命令を記述したコンテンツを受信するステップと、
受信した前記コンテンツに記述された視聴命令を実行して、起動させ、または起動した状態の番組視聴用情報端末またはテレビ表示機能部を特定のチャンネルに設定するステップと、
を備えたこと、
を特徴とするリアルタイム放送制御方法。
【請求項２２】
番組を視聴するための操作が可能な情報端末を制御するためのリアルタイム放送制御方法であって、
現在放送中の特定番組を視聴させるための視聴命令を記述したコンテンツを閲覧するステップと、
閲覧した前記コンテンツに記述された視聴命令を実行して、起動させ、または起動した状態の番組視聴用情報端末またはテレビ表示機能部を特定のチャンネルに設定するステップと、
を備えたこと、
を特徴とするリアルタイム放送制御方法。
【請求項２３】
番組を視聴するための操作が可能な情報端末と、前記情報端末にコンテンツを提供するコンテンツ提供サーバと、をネットワークを介して接続したリアルタイム放送制御システムであって、
前記情報端末が、
所定時に前記コンテンツ提供サーバから自動的に送信された、現在放送中の特定番組を視聴させるための視聴命令を記述したコンテンツを受信する手段と、
前記コンテンツに記述された視聴命令を実行して、起動させ、または起動した状態の番組視聴用端末またはテレビ表示機能部を特定のチャンネルに設定する手段と、
を備えたこと、を特徴とするリアルタイム放送制御システム。
【請求項２４】
番組を視聴するための操作が可能な情報端末と、前記情報端末にコンテンツを提供するコンテンツ提供サーバと、をネットワークを介して接続したリアルタイム放送制御システムであって、
前記情報端末が、
予め現在放送中の特定番組を視聴させるための視聴命令を記述したコンテンツを、所定時に表示するように登録する手段と、
所定時に現在放送中の特定番組を視聴させるための視聴命令を記述したコンテンツを自動的に表示する手段と、
前記コンテンツに記述された視聴命令を実行して、起動させ、または起動した状態の番組視聴用端末またはテレビ表示機能部を特定のチャンネルに設定する手段と、
を備えたこと、を特徴とするリアルタイム放送制御システム。
【請求項２５】
番組を視聴するための操作が可能な情報端末と、前記情報端末にコンテンツを提供するコンテンツ提供サーバと、をネットワークを介して接続したリアルタイム放送制御システムであって、
前記コンテンツ提供サーバが、
少なくとも放送開始時間およびチャンネル情報を含む番組視聴データを記憶する記憶部と、
前記番組視聴データに基づいて、現在放送中の特定番組を視聴させるための視聴命令を記述したコンテンツを生成する手段と、
前記放送開始時間またはその直前に、特定番組を視聴させるための視聴命令を記述したコンテンツを情報端末に自動的に送信する手段と、
を備えたこと、を特徴とするリアルタイム放送制御システム。
【請求項２６】
番組を視聴するための操作が可能な情報端末と、前記情報端末にコンテンツを提供するコンテンツ提供サーバと、をネットワークを介して接続したリアルタイム放送制御システムであって、
前記コンテンツ提供サーバが、
現在放送中の番組のうち、番組評価指数が所定のしきい値を超えた番組であると判断された特定番組について、前記特定番組を視聴させるための視聴命令を記述したコンテンツを生成する手段と、
前記特定番組を視聴させるための視聴命令を記述したコンテンツを直ちに情報端末に送信する手段と、
を備えたこと、を特徴とするリアルタイム放送制御システム。
【請求項２７】
番組を視聴するための操作が可能な情報端末を制御するためのリアルタイム放送制御方法であって、
所定時に前記コンテンツ提供サーバから自動的に送信された、現在放送中の特定番組を視聴させるための視聴命令を記述したコンテンツを受信するステップと、
前記コンテンツに記述された視聴命令を実行して、起動させ、または起動した状態の番組視聴用端末またはテレビ表示機能部を特定のチャンネルに設定するステップと、
を備えたこと、を特徴とするリアルタイム放送制御方法。
【請求項２８】
番組を視聴するための操作が可能な情報端末を制御するためのリアルタイム放送制御方法であって、
予め現在放送中の特定番組を視聴させるための視聴命令を記述したコンテンツを、所定時に表示するように登録するステップと、
所定時に現在放送中の特定番組を視聴させるための視聴命令を記述したコンテンツを自動的に表示するステップと、
前記コンテンツに記述された視聴命令を実行して、起動させ、または起動した状態の番組視聴用端末またはテレビ表示機能部を特定のチャンネルに設定するステップと、
を備えたこと、を特徴とするリアルタイム放送制御方法。
【請求項２９】
コンテンツ提供サーバを制御するためのリアルタイム放送制御方法であって、
少なくとも放送開始時間およびチャンネル情報を含む番組視聴データを記憶する記憶部と、
前記番組視聴データに基づいて、現在放送中の特定番組を視聴させるための視聴命令を記述したコンテンツを生成するステップと、
前記放送開始時間またはその直前に、特定番組を視聴させるための視聴命令を記述したコンテンツを情報端末に自動的に送信するステップと、
を備えたこと、を特徴とするリアルタイム放送制御方法。
【請求項３０】
コンテンツ提供サーバを制御するためのリアルタイム放送制御方法であって、
現在放送中の番組のうち、番組評価指数が所定のしきい値を超えた番組であると判断された特定番組について、前記特定番組を視聴させるための視聴命令を記述したコンテンツを生成するステップと、
前記特定番組を視聴させるための視聴命令を記述したコンテンツを直ちに情報端末に送信するステップと、
を備えたこと、を特徴とするリアルタイム放送制御方法。
【発明の詳細な説明】
【技術分野】
【０００１】
この発明は、リアルタイムで放送されるテレビ番組の視聴を制御するためのリアルタイム放送制御システムに関する。
【背景技術】
【０００２】
従来から、携帯端末からテレビ受信機のチャンネル変更などの操作を行う技術が存在する（特許文献１）。
【先行技術文献】
【特許文献】
【０００３】
【特許文献１】特開平２００８−２８９２５号公報
【発明の概要】
【発明が解決しようとする課題】
【０００４】
しかしながら、特許文献１の技術のように、携帯端末をリモコンの代わりに使用してテレビ受信機の操作を容易にするだけでは、ユーザ趣味の多様化による昨今のテレビ離れを食い止めるには不十分であった。一方で、昨今のソーシャルメディア（ソーシャルネットワークサービス（ＳＮＳ）、電子メールなど）の普及により、番組を視聴しながらソーシャルメディアでコミュニケーションを行ったり、ソーシャルメディアでコミュニケーションを行いながら番組の情報を得て番組の視聴を開始するといった新しいライフスタイルが存在する。
【０００５】
また、録画機器を操作する技術（例えば、iEPGを介して行うリモート録画予約）は従来より存在したが、リアルタイムで放送を外部から操作する技術は存在しなかった。
【０００６】
この発明は、インターネット・ソーシャルメディアと連動し、ユーザにリアルタイム視聴を促すことで、テレビメディアの価値向上を目指すものである。例えば、ユーザがソーシャルメディアでコミュニケーションを行った際に、番組を視聴する契機（動機付け）を与えることで、テレビを見ていなかった人にその番組を見させることができる。また、放送局側もその特性を利用してインターネット・ソーシャルメディアを活用できることで、テレビ放送のリアルタイム視聴がより促進される。
【課題を解決するための手段】
【０００７】
（１）この発明の情報端末は、
コンテンツ提供サーバにネットワークを介して接続され、番組視聴用端末を操作可能な情報端末であって、
前記コンテンツ提供サーバから、現在放送中の特定番組を視聴させるための視聴命令を記述したコンテンツを受信する手段と、
取得した前記コンテンツに記述された視聴命令を実行して、起動させ、または起動した状態の前記番組視聴用端末を特定のチャンネルに設定する手段と、
を備えたこと、を特徴とする。
【０００８】
これにより、コンテンツを受信する際に、現在放送中の番組をテレビ受信機で視聴する契機（動機付け）を与えることが可能となり、インターネット・ソーシャルメディアと連動して、ユーザにリアルタイム視聴を促すことができる。
【０００９】
（２）この発明の番組視聴用情報端末は、
コンテンツ提供サーバにネットワークを介して接続され、番組視聴を可能にするテレビ表示機能部を備えた番組視聴用情報端末であって、
前記コンテンツ提供サーバから、現在放送中の特定番組を視聴させるための視聴命令を記述したコンテンツを受信する手段と、
取得した前記コンテンツに記述された視聴命令を実行して、起動させ、または起動した状態の前記テレビ表示機能部を特定のチャンネルに設定する手段と、
を備えたこと、を特徴とする。
【００１０】
これにより、コンテンツを受信する際に、現在放送中の番組を番組視聴アプリケーションで視聴する契機（動機付け）を与えることが可能となり、インターネット・ソーシャルメディアと連動して、ユーザにリアルタイム視聴を促すことができる。
【００１１】
（３）この発明の情報端末は、
前記コンテンツが、他の情報端末から送信される電子メールであり、
前記他の情報端末において、視聴命令を記述した電子メールが作成されること、
を特徴とする。
【００１２】
これにより、例えば、友人などが有する他の携帯端末から番組視聴を促進する電子メールを作成し、これを受信したユーザに、現在放送中の番組を番組視聴アプリケーションで視聴する契機（動機付け）を与えることが可能となり、メールシステムと連動して、ユーザにリアルタイム視聴を促すことができる。
【００１３】
（４）この発明の情報端末は、
前記コンテンツが、他の情報端末から送信される電子メールであり、
前記コンテンツ提供サーバが、前記電子メールのメッセージに放送局名が含まれていると判断した場合に当該放送局で現在放送中の番組を視聴させる視聴命令を電子メールに記述し、または、前記電子メールのメッセージに現在放送中の番組名が含まれていると判断した場合に当該番組名に対応する番組を視聴させる視聴命令を電子メールに記述すること、を特徴とする。
【００１４】
これにより、例えば、メールサーバなどにおいて番組視聴を促進する電子メールを自動的に作成し、これを受信したユーザに、現在放送中の番組を番組視聴アプリケーションで視聴する契機（動機付け）を与えることが可能となり、メールシステムと連動して、ユーザにリアルタイム視聴を促すことができる。
【００１５】
（５）この発明の情報端末は、
コンテンツ提供サーバにネットワークを介して接続され、番組視聴用端末を操作可能な情報端末であって、
前記コンテンツ提供サーバに接続して、現在放送中の特定番組を視聴させるための視聴命令を記述したコンテンツを閲覧する手段と、
閲覧した前記コンテンツに記述された視聴命令を実行して、起動させ、または起動した状態の前記番組視聴用端末を特定のチャンネルに設定する手段と、
を備えたこと、を特徴とする。
【００１６】
これにより、インターネットコンテンツにアクセスする際に、現在放送中の番組をテレビ受信機で視聴する契機（動機付け）を与えることが可能となり、インターネット・ソーシャルメディアと連動して、ユーザにリアルタイム視聴を促すことができる。
【００１７】
（６）この発明の番組視聴用情報端末は、
コンテンツ提供サーバにネットワークを介して接続され、番組視聴を可能にするテレビ表示機能部を備えた番組視聴用情報端末であって、
前記コンテンツ提供サーバに接続して、現在放送中の特定番組を視聴させるための視聴命令を記述したコンテンツを閲覧する手段と、
閲覧した前記コンテンツに記述された視聴命令を実行して、起動させ、または起動した状態の前記テレビ表示機能部を特定のチャンネルに設定する手段と、
を備えたこと、を特徴とする。
【００１８】
これにより、インターネットコンテンツにアクセスする際に、現在放送中の番組を番組視聴アプリケーションで視聴する契機（動機付け）を与えることが可能となり、インターネット・ソーシャルメディアと連動して、ユーザにリアルタイム視聴を促すことができる。
【００１９】
（７）この発明の情報端末は、
前記コンテンツ提供サーバが、コンテンツに放送局名が含まれていると判断した場合に当該放送局で現在放送中の番組を視聴させる視聴命令を当該コンテンツに記述し、または、コンテンツに現在放送中の番組名が含まれていると判断した場合に当該番組名に対応する番組を視聴させる視聴命令をコンテンツに記述すること、
を特徴とする。
【００２０】
これにより、例えば、ＳＮＳサイトなどにおいて番組視聴を促進するコンテンツ（掲示板への書き込みなど）を作成しておき、これを閲覧したユーザに、現在放送中の番組を番組視聴アプリケーションで視聴する契機（動機付け）を与えることが可能となり、インターネット・ソーシャルメディアと連動し、ユーザにリアルタイム視聴を促すことができる。
【００２１】
（８）この発明の情報端末は、
視聴管理サーバにネットワークを介して接続され、番組を視聴するための操作が可能な情報端末であって、
所定時に前記視聴管理サーバから自動的に送信された、現在放送中の特定番組を視聴させるための視聴命令を記述したコンテンツを受信する手段と、
前記コンテンツに記述された視聴命令を実行して、起動させ、または起動した状態の番組視聴用端末またはテレビ表示機能部を特定のチャンネルに設定する手段と、
を備えたこと、を特徴とする。
【００２２】
これにより、特定番組について、ユーザに所定のタイミングで自動的に視聴する契機（動機付け）を与えることが可能となり、ユーザにリアルタイム視聴を促すことができる。
【００２３】
（９）この発明の情報端末は、
前記情報端末は、電子番組表サーバにネットワークを介して接続されており、さらに、
前記電子番組表サーバから電子番組表を受信する手段と、
前記電子番組表に表示された将来放送予定の番組の中から特定番組を選択する手段と、
選択した前記特定番組の番組視聴データを前記視聴管理サーバに登録する手段と、
を備えたこと、を特徴とする。
【００２４】
これにより、ユーザ自らが選択した番組について、所定のタイミングで視聴する契機（動機付け）を与えることが可能となり、ユーザにリアルタイム視聴を促すことができる。
【００２５】
（１０）この発明の情報端末は、
将来放送予定の番組の中から特定番組を検索するためのキーワードを入力する手段と、
入力した前記キーワードに基づいて抽出した特定番組の番組視聴データを前記視聴管理サーバに登録する手段と、
を備えたこと、を特徴とする。
【００２６】
これにより、ユーザ自らが設定した好みの番組について、所定のタイミングで視聴する契機（動機付け）を与えることが可能となり、ユーザにリアルタイム視聴を促すことができる。
【００２７】
（１１）この発明の情報端末は、
番組を視聴するための操作が可能な情報端末であって、
予め現在放送中の特定番組を視聴させるための視聴命令を記述したコンテンツを、所定時に表示するように登録する手段と、
所定時に現在放送中の特定番組を視聴させるための視聴命令を記述したコンテンツを自動的に表示する手段と、
前記コンテンツに記述された視聴命令を実行して、起動させ、または起動した状態の番組視聴用端末またはテレビ表示機能部を特定のチャンネルに設定する手段と、
を備えたこと、を特徴とする。
【００２８】
これにより、特定番組について、ユーザに所定のタイミングで自動的に視聴する契機（動機付け）を与えることが可能となり、ユーザにリアルタイム視聴を促すことができる。
【００２９】
（１２）この発明の情報端末は、
前記情報端末は、電子番組表サーバにネットワークを介して接続されており、さらに、
前記電子番組表サーバから電子番組表を受信する手段と、
前記電子番組表に表示された将来放送予定の番組の中から特定番組を選択する手段と、
選択した前記特定番組の番組視聴データを登録する記憶部と、
を備えたこと、を特徴とする情報端末。
【００３０】
これにより、ユーザ自らが選択した番組について、所定のタイミングで視聴する契機（動機付け）を与えることが可能となり、ユーザにリアルタイム視聴を促すことができる。
【００３１】
（１３）この発明の情報端末は、
将来放送予定の番組の中から特定番組を検索するためのキーワードを入力する手段と、
入力した前記キーワードに基づいて抽出した特定番組の番組視聴データを登録する記憶部と、
を備えたこと、を特徴とする。
【００３２】
これにより、ユーザ自らが設定した好みの番組について、所定のタイミングで視聴する契機（動機付け）を与えることが可能となり、ユーザにリアルタイム視聴を促すことができる。
【００３３】
（１５）この発明の広告サーバは、
上記いずれかの情報端末によって実現される情報端末から視聴された番組の履歴データを受けて、当該履歴データを情報端末ＩＤと対応付けて記憶する広告サーバであって、
前記履歴データに関連づけられた広告コンテンツをデータベースから抽出する手段と、
前記情報端末ＩＤに対応する情報端末に前記広告コンテンツを送信する手段と、
を備えたこと、を特徴とする
これにより、番組の放送中にリアルタイムで、特定のユーザに現在視聴可能な番組に関する広告情報の配信を行うことができる。
【００３４】
（１６）この発明の広告サーバは、
さらに、前記情報端末の位置情報データを受けて、前記履歴データおよび前記位置情報データに関連づけられた広告コンテンツをデータベースから抽出すること、を特徴とする。
【００３５】
これにより、履歴データを位置情報と組み合わせることで、視聴場所と連動したクーポンなどの広告情報の配信が可能となる。
【００３６】
（１７）この発明の視聴管理サーバは、
現在放送中の特定番組を視聴させるための視聴命令を記述したコンテンツを送信するための視聴管理サーバであって、
少なくとも放送開始時間およびチャンネル情報を含む番組視聴データを記憶する記憶部と、
前記番組視聴データに基づいて、現在放送中の特定番組を視聴させるための視聴命令を記述したコンテンツを生成する手段と、
前記放送開始時間またはその直前に、特定番組を視聴させるための視聴命令を記述したコンテンツを情報端末に自動的に送信する手段と、
を備えたこと、を特徴とする。
【００３７】
これにより、ユーザに対して放送開始時間またはその直前に、現在放送中の番組を視聴する契機（動機付け）を与えることが可能となり、ユーザにリアルタイム視聴を促すことができる。
【００３８】
（１８）この発明の視聴管理サーバは、
現在放送中の特定番組を視聴させるための視聴命令を記述したコンテンツを送信するための視聴管理サーバであって、
現在放送中の番組のうち、番組評価指数が所定のしきい値を超えた番組であると判断された特定番組について、前記特定番組を視聴させるための視聴命令を記述したコンテンツを生成する手段と、
前記特定番組を視聴させるための視聴命令を記述したコンテンツを直ちに情報端末に送信する手段と、
を備えたこと、を特徴とする。
【００３９】
これにより、現在放送中の番組が盛り上がった時に視聴する契機（動機付け）を与えることが可能となり、ユーザにリアルタイム視聴を促すことができる。
【図面の簡単な説明】
【００４０】
【図１】本発明のリアルタイム放送制御システム１００の構成を示す図である。
【図２】スマートフォン１０１のハードウェア構成を示す図である。
【図３】番組関連の新規メールを作成する操作画面の例を示す図である。
【図４】受信した電子メールの表示例（図４Ａ）および視聴ボタンをクリックすること視聴される番組の表示例（図４Ｂ）を示す図である。
【図５】スマートフォン１０１において実行される処理のフローチャートである。
【図６】本発明のリアルタイム放送制御システム１００’の構成を示す図である。
【図７】スマートフォン１０１’のハードウェア構成を示す図である。
【図８】ＳＮＳサイトのコンテンツの表示例を示す図である。
【図９】スマートフォン１０１’において実行される処理のフローチャートである。
【図１０】他の実施形態におけるリアルタイム放送制御システムの構成を示す図である。
【図１１】広告サーバ１０４のデータベースに記憶されたデータ例を示す図である。
【図１２】他の実施形態におけるリアルタイム放送制御システム１００”の構成を示す図である。
【図１３】図６に示すリアルタイム放送制御システム１００’の変形例を示す図である。
【図１４】他の実施形態におけるリアルタイム放送制御システムの構成を示す図である。
【図１５】他の実施形態におけるスマートフォンのハードウェア構成を示す図である。
【図１６】他の実施形態におけるリアルタイム放送制御処理を示すフローチャートである。
【図１７】ＥＰＧ（電子番組表）の表示例を示す図である。
【図１８】視聴管理サーバの視聴管理ＤＢに記憶されたデータ例を示す図である。
【図１９】他の実施形態におけるリアルタイム放送制御処理を示すフローチャートである。
【図２０】受信した電子メールの表示例（図２０Ａ）および視聴ボタンをクリックすること視聴される番組の表示例（図２０Ｂ）を示す図である。
【図２１】他の実施形態におけるリアルタイム放送制御システムの構成を示す図である。
【図２２】他の実施形態におけるリアルタイム放送制御処理を示すフローチャートである。
【図２３】特定番組に関するツイート数の時間変動を示すグラフである。
【発明を実施するための形態】
【００４１】
１．第１の実施形態
本発明のリアルタイム放送制御システムについて、図１を用いて説明する。なお、第１の実施形態では、家庭内でスマートフォン１０１を操作しているユーザに届いた他のユーザからの電子メールを契機として、テレビ受信機１０により現在放送中の特定番組を家庭内ユーザに視聴させる場合を例として説明する。
【００４２】
図１に示すように、リアルタイム放送制御システム１００は、インターネットなどのネットワークを介して接続された、情報端末であるスマートフォン１０１と、コンテンツ提供サーバであるメールサーバ１０２とを備えている。
【００４３】
図１に示すスマートフォン１０１を操作している家庭内のユーザは、メールサーバ１０２を介して送信された視聴促進用の電子メール（現在放送中の特定番組を視聴させるための視聴命令を記述したもの）を受信する。さらに、受信した視聴促進用の電子メールに対して、ユーザが視聴許可入力を行うことによって、当該電子メールに記述された視聴命令が実行され、その結果、起動させ、または起動した状態（すなわち、副電源がオンしている状態）のテレビ受信機１０が特定のチャンネルに設定（変更）されることになる。これにより、ユーザに特定の番組を視聴させることができる。
【００４４】
なお、番組視聴用端末であるテレビ受信機１０は、スマートフォン１０１のユーザが家庭内に所有するテレビ受信機であって、無線ルータ５０を介してスマートフォン１０１からリモコン制御（遠隔操作）できるように構成されている。
【００４５】
［スマートフォン１０１、２０１のハードウェア構成］
まず、図１に示すスマートフォン１０１のハードウェア構成を、図２を用いて説明する。スマートフォン１０１は、ＣＰＵ１１１、メモリ１１２、タッチセンサ１１４、スピーカ１１５、ディスプレイ１１６、通信制御回路１１７を備えている。
【００４６】
メモリ１１２は、ＣＰＵ２１１に対して作業領域を提供する。また、メモリ１１２には、オペレーティング・システム（ＯＳ）、メールソフト（図示せず）といった標準的なアプリケーション（図示せず）の他、テレビ受信機操作プログラムＰ１、視聴命令実行プログラムＰ２を記録する。
テレビ受信機操作プログラムＰ１としては、インターネットを介してテレビ受信機１０を遠隔操作できるアプリケーション（例えば、ソニー社製のMedia Remoteなど）を用いることができる。視聴命令実行プログラムＰ２は、視聴命令に基づき、テレビ受信機操作プログラムＰ１を介してテレビ受信機１０を制御するためのプログラムである。
タッチセンサ１１４は、ユーザがディスプレイ１１６に接触した位置を検出し、当該位置に対応する命令を受け付ける。スピーカー１１５は、音声データを外部に出力する。ディスプレイ１１６は、テレビ放送やデータ放送、及びユーザーインターフェイス等の画像を表示する。
通信制御回路１１７は、通信回線（例えば、電話回線、パケット通信回線、Ｗｉ-Ｆｉ（商標）無線通信回線）を利用した電話及びデータの送受信を実現する。
【００４７】
なお、メール送信者のスマートフォン２０１のハードウェア構成も、基本的に図２に示すものと同じである。ただし、スマートフォン２０１が視聴命令タグをメールに記述することが可能なメールソフトを備える点で相違する。
【００４８】
図３に、他のユーザが、図１に示すスマートフォン２０１を用いて視聴促進用の新規メールを作成する場合の操作画面の表示例を示す。
【００４９】
スマートフォン２０１のメールソフトでは、図３に示すように、地域「大阪」、種別「地上波」、チャンネル番号「８ｃｈ」といった項目をプルダウンメニューで選択することが可能になっている。これらの項目を選択することで、現在放送中の特定番組を視聴するためのデータをＥＰＧなどから容易に抽出することができる。他のユーザが、図３に示す送信ボタン１３を押下することで、特定番組の視聴命令を記述したタグを組み込んだ電子メールを送信することができる。
［リアルタイム放送制御処理の内容］
図５に、スマートフォン１０１において実行される処理のフローチャートを示す。なお、事前処理として、テレビ受信機操作プログラムＰ１を起動して、スマートフォン１０１からテレビ受信機１０にアクセスし、スマートフォン１０１をテレビ受信機１０の遠隔操作が可能な端末として登録しておく必要がある。
【００５０】
図５に示すように、ユーザは、メールサーバ１０２から携帯電話網を介して送られた視聴促進用の電子メールを、スマートフォン１０１のメールソフトで受信し（ステップＳ５０）、これをディスプレイ１１６に表示する（ステップＳ５２）。
【００５１】
受信した視聴促進用の電子メールには、例えば、図４Ａに示すような、現在放送中の番組に関するメッセージが、視聴ボタン１５と共に表示されている。図４Ａに示すメッセージ内の視聴ボタン１５には、チャンネル設定（変更）用のタグ（例えば、ｈｔｍｌタグ）が組み込まれている。
【００５２】
図４Ａにおいて、ユーザが視聴ボタン１５を押下すると（ステップＳ５４のＹｅｓ）、視聴命令実行プログラムＰ２は、認識したタグに記述されているチャンネルに設定する視聴命令を、テレビ受信機操作プログラムＰ１に与える（ステップＳ５６）。
【００５３】
これを受けて、テレビ受信機操作プログラムＰ１は、テレビ受信機１０と通信して、テレビ受信機１０の電源（副電源）をオンし、視聴命令に記述されたチャンネルに設定（変更）する処理を実行する（ステップＳ５８）。なお、テレビ受信機１０のＭＡＣアドレスに基づいて、遠隔操作の対象であるテレビ受信機１０が特定される。これにより、例えば、図４Ｂに示すように、視聴命令に基づいた番組が表示される。
【００５４】
テレビ受信機１０の副電源がオン状態であることがネットワークを介して検知できる場合には、ステップＳ５８において、チャンネル設定（変更）処理のみを実行してもよい。なお、何れにしても、テレビ受信機１０の主電源については、予め入れた状態（オン状態）にしておくことが必要である。
【００５５】
以上のように、電子メールによって現在放送中の番組を視聴する契機（動機付け）をユーザに与え、スマートフォン１０１で受信した電子メールに記述された視聴命令に基づいて、スマートフォン１０１からテレビ受像機１０を遠隔操作することが可能となる。
【００５６】
なお、上記実施形態では、ユーザが受信する電子メールに視聴命令を記述すること（プッシュ型）としたが、以下の第２の実施形態に示すように、ユーザがアクセスするインターネット上のコンテンツに対して視聴命令を記述するよう（プル型）にしてもよい。
【００５７】
２．第２の実施形態
図６は、プル型のリアルタイム放送制御システム１００’の構成を示す図である。なお、第２の実施形態は、図１に示すテレビ受信機１０を用いずに、情報端末であるスマートフォン１０１’に内蔵されたアプリケーションを用いて、情報端末でテレビ番組を視聴する点でも、上記第１の実施形態と異なっている。
【００５８】
本実施形態におけるリアルタイム放送制御システム１００’は、図６に示すように、情報端末であるスマートフォン１０１’、コンテンツ提供サーバであるＳＮＳサーバ１０３を有している。なお、ＳＮＳサーバ１０３のコンテンツ（掲示板など）への書き込みは他のユーザのＰＣ１０６から行われる。
【００５９】
［スマートフォン１０１’のハードウェア構成］
スマートフォン１０１’のハードウェア構成を、図７を用いて説明する。スマートフォン１０１’は、ＣＰＵ１１１、メモリ１１２、タッチセンサ１１４、スピーカ１１５、ディスプレイ１１６、通信制御回路１１７を備えている。
メモリ１１２は、ＣＰＵ１１１に対して作業領域を提供する。また、メモリ１１２には、オペレーティング・システム（ＯＳ）、メールソフト（図示せず）といった標準的なアプリケーション（図示せず）の他、テレビ放送視聴プログラムＰ０、視聴命令実行プログラムＰ２等のアプリケーションを記録している。少なくともテレビ放送視聴プログラムＰ０およびディスプレイ１１６により、テレビ表示機能部が構成されている。
【００６０】
リアルタイムで放送される番組を視聴するために、スマートフォン１０１’のテレビ放送視聴プログラムＰ０は、テレビ放送局１２１から受信した放送内容データをディスプレイ１１６に表示する。また、スマートフォン１０１’の視聴命令実行プログラムＰ２は、外部からの視聴命令を受けて、テレビ放送視聴プログラムＰ０を介してテレビ表示機能部の起動、チャンネル変更、音量変更などの操作を行う。
【００６１】
テレビ放送視聴プログラムＰ０としては、一般に用いられるワンセグ視聴用のアプリケーションや、地デジアプリ、Ｗｉ−Ｆｉによる１２セグ転送を受けて表示させるアプリ、ＮＯＴＴＶ（商標）のようなＩＰキャストを受信するアプリ、インターネット放送が視聴可能なブラウザなどを用いることができる。
地上デジタル放送チューナ回路１１３は、内蔵するチューナを介してトランスポート・ストリームを受信し、内蔵するＴＳデコーダによって、各エレメンタリー・ストリームを抽出する。
【００６２】
タッチセンサ１１４は、ユーザがディスプレイ１１６に接触した位置を検出し、当該位置に対応する命令を受け付ける。スピーカー１１５は、音声データを外部に出力する。ディスプレイ１１６は、テレビ放送やデータ放送、及びユーザーインターフェイス等の画像を表示する。
通信制御回路１１７は、携帯電話通信回線（例えば、パケット通信回線、Ｗｉ−Ｆｉ（商標）通信回線）を利用した電話及びデータの送受信を実現する。
【００６３】
［リアルタイム放送制御処理の内容］
図９に、スマートフォン１０１’において実行される処理のフローチャートを示す。
【００６４】
ユーザは、スマートフォン１０１’を操作してインターネットに接続し、ＳＮＳサーバ１０３のＳＮＳサイトにアクセスする（ステップＳ９０）。ＳＮＳサイトには、例えば、図８に示すような、現在放送中の番組に関するコンテンツ（例えば、掲示板への書き込み、ツイート、つぶやき等）が表示されている。
【００６５】
なお、図８に示す書き込みの表示には、視聴命令タグが記述された視聴ボタン１７が組み込まれている。コンテンツへの視聴ボタン１７の組み込み操作は、図３に示すメール作成時における視聴ボタン１５（図４Ａ）の組み込み操作と同様の手法により行うことができる。
【００６６】
図８に示すＳＮＳサイトの表示画面において、閲覧するユーザが視聴ボタン１５を押下すると（ステップＳ９２）、視聴命令実行プログラムＰ２が起動する（ステップＳ９４）。
【００６７】
さらに、視聴命令実行プログラムＰ２は、タグに記述されている特定のチャンネルに設定する視聴命令に基づいて、テレビ表示機能部を構成するテレビ放送視聴プログラムＰ０等を起動し、特定のチャンネルに設定（変更）する制御を実行する（ステップＳ９６）。なお、ステップＳ９６において、テレビ放送視聴プログラムＰ０が既に起動した状態である場合に、チャンネル設定（変更）処理のみを実行するようにしてもよい。
【００６８】
以上のように、インターネット上のコンテンツによって、現在放送中の番組を視聴する契機（動機付け）をユーザに与え、スマートフォン１０１’からテレビ受像機１０を遠隔操作することが可能となる。
【００６９】
なお、上記実施形態では、他人から電子メールを送信したり（第１の実施形態）、他人が掲示板に書き込んだコンテンツにアクセスして（第２の実施形態）、コンテンツに記述された視聴命令を実行することとしたが、以下の第３の実施形態に示すように、ユーザー自らが視聴する特定番組を設定するようにしてもよい。
【００７０】
３．第３の実施形態
図１４は、ユーザー設定型のリアルタイム放送制御システム２００の構成を示す図である。なお、第３の実施形態では、図６に示すリアルタイム放送制御システム１００’と同様に、図１に示すテレビ受信機１０を用いずに、情報端末であるスマートフォン１０１’に内蔵されたアプリケーションを用いてテレビ番組（テレビ放送局１２１から発信）を視聴する場合を例に説明する。ただし、図１に示すようなテレビ受信機１０でテレビ番組を視聴する構成を採用してもよい。
【００７１】
本実施形態におけるリアルタイム放送制御システム２００は、図１４に示すように、番組を視聴するための操作が可能な情報端末であるスマートフォン１０１’、コンテンツ提供サーバである視聴管理サーバ１０７、電子番組表（ＥＰＧ）を提供するＥＰＧサーバ１０８を有しており、これらはネットワークを介して接続されている。かかる構成において、視聴管理サーバ１０７から所定時に、ユーザに対して自動的に特定番組の視聴喚起が行われることになる。
スマートフォン１０１’のハードウェア構成を、図１５を用いて説明する。スマートフォン１０１’は、ＣＰＵ１１１、メモリ１１２、タッチセンサ１１４、スピーカ１１５、ディスプレイ１１６、通信制御回路１１７を備えている。
メモリ１１２は、ＣＰＵ１１１に対して作業領域を提供する。また、メモリ１１２には、オペレーティング・システム（ＯＳ）、メールソフト（図示せず）といった標準的なアプリケーション（図示せず）の他、テレビ放送視聴プログラムＰ０、視聴命令実行プログラムＰ２、視聴喚起登録プログラムＰ３等のアプリケーションを記録している。少なくともテレビ放送視聴プログラムＰ０およびディスプレイ１１６により、テレビ表示機能部が構成されている。視聴喚起登録プログラムＰ３は、ユーザーが自ら視聴喚起しようとする特定番組を設定するために用いられるプログラムである。なお、メモリ１１２に視聴喚起登録プログラムＰ３（図１５）が追加して記録されている以外は、図７に示す構成と同じである。
【００７２】
［リアルタイム放送制御処理の内容］
まず、ユーザーは、自らリアルタイムで視聴しようとする特定番組を選択し、または検索するためのキーワードを入力して、以下のように登録処理を行う。
【００７３】
図１６を用いて、視聴喚起登録プログラムＰ３を起動することで実行される登録処理について説明する。
【００７４】
ユーザがスマートフォン１０１’を操作して視聴喚起登録プログラムＰ３を起動すると（ステップＳ１６０）、ＣＰＵ１１１は、インターネットを介して、ＥＰＧサーバ１０８にアクセスする（ステップＳ１６２）。
【００７５】
これに応じて、ＥＰＧサーバ１０８は、スマートフォン１０１’にＥＰＧ（電子番組表）データを送信する（ステップＳ１６４）。例えば、図１７に示すように、午後７時〜午後１２時までの地上波の番組データを全て含んだＥＰＧ（電子番組表）を送信する。
【００７６】
つぎに、スマートフォン１０１’は、ディスプレイ１１６にＥＰＧ（電子番組表）を表示する（ステップＳ１６６）。図１７に示すスマートフォン１０１’のディスプレイ１１６に表示されたＥＰＧ（電子番組表）には、予約ボタン１９の他、視聴喚起しようとする特定番組を検索するために用いられるキーワードのチェック欄２１が設けられている。
【００７７】
ユーザが表示された電子番組表の中から特定の番組を選択した上で予約ボタン１９を押下すると（ステップＳ１６８のＹｅｓ）、ＣＰＵ１１０は、ＥＰＧサーバ１０８に視聴番組データを直接送信する。一方、ユーザが表示された電子番組表下のチェック欄２１にキーワードを入力した上で予約ボタンを押下すると（ステップＳ１６９のＹｅｓ）、ＥＰＧサーバ１０８にキーワードが送信され、ＥＰＧサーバ１０８でキーワード検索して抽出された特定番組の視聴番組データが番組評価サーバ１０７に送信される（ステップＳ１７０）。
【００７８】
視聴管理サーバ１０７は、ユーザのスマートフォン１０１’またはＥＰＧサーバ１０８から受けた特定番組の視聴番組データを視聴管理ＤＢ（図１８）に記憶する（ステップＳ１７２）。図１８に示す視聴管理ＤＢには、少なくとも放送開始時間およびチャンネル情報が記憶される。なお、チャンネル情報には、チャンネル数の他、受信エリア情報が含まれる。
【００７９】
さらに、視聴管理サーバ１０７では、取得した視聴番組データに基づいて、予め視聴喚起表示を生成する処理を行う（ステップＳ１７４）。具体的には、第１の実施形態において図３に示すメールを生成した場合と同様に、視聴命令タグが記述されたメール（視聴喚起表示）が生成され、メールソフトの送信フォルダに保存される。なお、図２０Ａに示す視聴喚起メール（視聴喚起表示）にも、図８と同様、視聴ボタン１５（例えば、ｈｔｍｌタグで特定チャンネルに設定する命令を記述したもの）が組み込まれている。
【００８０】
ＣＰＵ１１０は、現在の時刻が、放送開始の所定時間前（例えば、１分）になったと判断したとき（ステップＳ１７６のＹｅｓ）、ユーザのスマートフォン１０１’にメールを送信する。例えば、９時開始の番組を視聴喚起の対象としている場合、８時５９分にメールを送信する（ステップＳ１７８）。なお、現在の時刻は、番組評価サーバ１０７がＮＴＰサーバ（図示せず）に接続してタイマーを所定時間毎に同期することで正確な時間が保持されている。なお、ステップＳ１７８で放送開始と同時にメールを送信してもよい。
【００８１】
つぎに、図１９のフローチャートを用いて、視聴喚起コンテンツを受信したスマートフォン１０１’で行われる処理について説明する。
【００８２】
図１９に示すように、視聴管理サーバ１０７から携帯電話網を介して送信された電子メールがスマートフォン１０１’に受信され（ステップＳ１９０）、ユーザの操作入力に応じて、スマートフォン１０１’のディスプレイ１１６に表示される（ステップＳ１９２）。
【００８３】
図２０Ａに示すように、受信した電子メールには、例えば、特定番組の視聴を喚起するメッセージが、視聴ボタン１５と共に表示されている。なお、図２０Ａに示すメッセージ内の視聴ボタン１５には、チャンネル設定（変更）用のタグ（例えば、ｈｔｍｌタグ）などが組み込まれている。
【００８４】
図２０Ａに示すメールの表示画面において、ユーザが視聴ボタン１５を押下すると（ステップＳ１９４のＹｅｓ）、視聴命令実行プログラムＰ２が起動する（ステップＳ１９６）。
【００８５】
さらに、視聴命令実行プログラムＰ２は、タグに記述されている特定のチャンネルに設定する視聴命令に基づいて、テレビ表示機能部を構成するテレビ放送視聴プログラムＰ０等を起動し、特定のチャンネルに設定（変更）する制御を実行する（ステップＳ１９８）。これにより、例えば、図２０Ｂに示すように、視聴命令に基づき特定番組が表示される。なお、テレビ放送視聴プログラムＰ０が既に起動した状態である場合には、テレビ放送視聴プログラムＰ０を起動する必要がないため、ステップＳ１９６においてチャンネル設定（変更）処理のみを実行するようにしてもよい。
【００８６】
以上のように、ユーザ自らが予約した特定番組をリアルタイムで視聴するように喚起することができる。
【００８７】
なお、上記実施形態では、ユーザが選択した特定番組、またはユーザが入力したキーワードに基づいて抽出された特定番組の視聴喚起を行うこととしたが、その他の方法で決定した特定番組について視聴喚起を行うようにしてもよい。例えば、現在放送中の番組の盛り上がりを表す番組視聴指数を算出し、しきい値を超えた特定番組についてリアルタイムで視聴喚起を行うようにしてもよい。
【００８８】
図２１に、現在放送中の番組の盛り上がりを表す番組視聴指数を考慮して視聴喚起を行うリアルタイム放送制御システム２００’の構成を示す。図２１は、図１４に示リアルタイム放送制御システム２００に、さらに番組評価サーバ１０９を追加した図である。
【００８９】
番組評価サーバ１０９は、現在放送中の番組のツイート数、書き込み数などの情報をインターネットなどのネットワーク上から収集・取得して番組評価指数を算出する機能を有する。
【００９０】
図２２のフローチャートを用いて、リアルタイム放送制御システム２００’において行われる処理を示す。
【００９１】
視聴評価サーバ１０９は、インターネットを介して、所定時間（例えば、１日）毎にＥＰＧサーバ１０８にアクセスする（ステップＳ２２０）。
【００９２】
これに応じて、ＥＰＧサーバ１０８は、スマートフォン１０１’にＥＰＧ（電子番組表）データを送信する（ステップＳ２２２）。例えば、１日分のＥＰＧ（電子番組表）を送信する。
【００９３】
さらに、番組評価サーバ１０９では、現在放送中の番組が存在すると判断されている間は、番組評価ループ処理（ＳＲ１〜ＳＲ２）が実行される。この番組評価ループ処理では、まず、番組評価サーバ１０９のＣＰＵが、現在放送中の各番組について番組評価指数を算出する（ステップＳ２２４）。具体的には、ツイッターなどのＳＮＳサーバ（図示せず）にアクセスして、番組名のハッシュタグを検索し、所定時間（例えば、３秒）経過毎に番組に関するツイート数をカウントする。図２３は、番組評価指数である特定番組に関するツイート数Ｎの時間変動を示すグラフである。なお、番組評価指数を単位時間当たりのツイート数に基づいて算出したが、他の要素、例えば、番組に関する掲示板のスレッドへの書き込み数などに基づいて算出してもよい。
【００９４】
つぎに、番組評価指数Ｎがしきい値Ｎth（例えば、１０ツイート）を超える番組が存在するか否かを判断し（ステップＳ２２６）、存在する場合には視聴喚起を行う特定番組として決定し、電子番組表から抽出した視聴番組データを視聴管理サーバ１０８に送信する（ステップＳ２２８）。例えば、ツイート数が超えた図２３のＸの時点（午後８時３６分１２秒）で、特定番組として決定される。なお、番組評価指数Ｎを、単位時間内のツイート数として算出したが、単位時間内のツイート数の増加率、ツイート数の移動平均などに基づいて算出してもよい。
【００９５】
視聴管理サーバ１０７では、取得した視聴番組データに基づいて、直ちに視聴喚起メールを生成する処理を行う（ステップＳ２３０）。視聴管理サーバ１０７は、生成した視聴喚起メールをユーザのスマートフォン１０１’に直ちに送信する。その後、スマートフォン１０１’における処理は、図１９に示すフローチャートと同じである。
【００９６】
以上のように、番組の途中から（すなわち、ドラマの盛り上がったとき、プロ野球中継でホームランを打ったときや、臨時ニュースが放送されたとき等）でも、ユーザに対して直ちに視聴喚起を行うことができる。
【００９７】
なお、上記実施形態では、視聴管理サーバ１０７に視聴データを記憶することとしたが、情報端末（スマートフォン１０１’）に特定番組の視聴番組データを記憶しておき、所定時にポップアップなどの表示を行うことが可能なアプリケーションを用いて視聴喚起を行うようにしてもよい。具体的には、ＯＳに標準的に搭載されているポップアップ機能を受け付けるように設定（プッシュ機能をオン）しておけばよい。
【００９８】
なお、上記実施形態では、視聴管理サーバ１０７と番組評価サーバ１０９を別のサーバとして構成したが、視聴管理サーバ１０７と番組評価サーバ１０９を１のサーバとして構成（すなわち、視聴管理サーバ１０７が図２２に示す番組評価サーバ１０９の処理を実行）するようにしてもよい。
【００９９】
４．第４の実施形態（視聴履歴の広告利用）
上記実施形態において情報端末１０１で行う視聴者の操作を記録しておき、インターネット上にあるサーバーでその履歴を判断すれば、その視聴者ごとにマッチしたお薦め情報や広告情報をダイレクトメール、バナー広告として配信することができるため便利である。
【０１００】
例えば、図１０に示すように、図１のリアルタイム放送制御システム１００に、インターネットを介して接続された広告サーバ１０４およびＧＰＳサーバ１０５を追加するようにしてもよい。
【０１０１】
図１１に、広告サーバ１０４のデータベースに記憶されたユーザＡについての視聴履歴データ例を示す。なお、ユーザＡは、視聴命令を実行した情報端末固有の情報端末ＩＤ「ＢＣＤＥ２３４５」によって特定されている。
【０１０２】
図１１に示す１行目の視聴番組履歴データは、第１の実施形態で示したような、視聴命令を実行した情報端末（スマートフォン１０１）と、視聴端末（テレビ受信機１０）とが異なる場合のデータである。一方、図１１に示す２行目の視聴番組履歴データは、第２の実施形態で示したような、視聴命令を実行した情報端末と、視聴端末とがスマートフォン１０１’（ＩＤ「ＢＣＤＥ２３４５」）で同じである場合のデータである。視聴番組履歴データは、例えば、ユーザが視聴ボタン１５、１７（図４Ａ、図８）を押下した際に（図５のステップＳ５４、図９のステップＳ９２）、視聴命令実行プログラムＰ２（図２、図７）が、視聴命令のデータを広告サーバ１０４に送信（アップロード）するように設定すれば蓄積することができる。
【０１０３】
このように、本発明で用いられる情報端末（スマートフォン１０１、１０１’）は、家族で共用されるテレビリモコンとは違って、各個人に属するもの（図１１に示すような情報端末ＩＤで識別可能）であることから、個別の趣味趣向に合致した情報を提供することが可能な点で、有効な広告手段となる。
【０１０４】
例えば、（ａ）広告サーバ１０４に蓄積される視聴履歴データ（図１１）に基づいて、情報端末の所有者へのお勧め番組を決定し、当該番組に関する広告および当該番組の視聴命令を含む電子メールを情報端末に送信する場合や、（ｂ）広告サーバ１０４に蓄積される視聴履歴データ（図１１）に基づいてお勧め商品を決定し、当該商品に関する広告のみを含む電子メールを情報端末に送信する場合などが考えられる。
【０１０５】
また、各ユーザーからさらに個人情報（年齢、性別、生年月日など）を得て広告サーバ１０４に登録すれば、より正確な個別コミュニケーションが可能となる。
【０１０６】
さらに、図１０に示すＧＰＳサーバ１０５による位置情報（図１１）と組み合わせることで、視聴場所と連動したクーポンなどの広告情報の配信も可能となる。
【０１０７】
以上のように、番組の放送中にリアルタイムで広告サーバ１０４から、登録されたユーザに現在視聴可能な番組に関する商品のダイレクトメールを送ったり、サイト閲覧時に表示される広告をユーザの嗜好に基づいて選択的に表示する等して、番組の視聴に繋げたり、購買活動を促進することが期待できる。
【０１０８】
５．その他の実施形態
なお、上記実施形態では、電子メール、ＳＮＳサイトの書き込みといったコンテンツにタグを記述して視聴ボタンを表示することとしたが（図４Ａ、図８）、これに限定されるものではなく、例えば、番組情報提供アプリケーションや、iEPG（電子番組表）にタグを記述して視聴ボタンを表示するようにしてもよい。
【０１０９】
なお、上記実施形態では、視聴命令実行プログラムＰ２を情報端末に予めインストールすることとしたが、これに限定されるものではなく、インターネットコンテンツなどと共に視聴命令実行プログラムＰ２を送信するようにしてもよい。
【０１１０】
なお、上記第１の実施形態では、スマートフォン１０１から無線ルータ５０を介してテレビ受信機をリモコン制御できるよう構成することとしたが（図１）、これに限定されるものではない。例えば、図１２に示すように、スマートフォン１０１の赤外線ポートを介して、赤外線通信その他、ブルートゥース（商標）などの近距離無線通信によりリモコン制御（遠隔操作）するようにしてもよい。
【０１１１】
なお、上記第１の実施形態では、家庭内のテレビ受信機１０により視聴することとしたが、これに限定されるものではなく、外出先のテレビ受信機を用いて視聴するようにしてもよい。
【０１１２】
なお、上記実施形態では、視聴ボタンを押下することにより特定番組の視聴を行わせることとしたが、これに限定されるものではなく、例えば、メールの開封と同時に自動的に番組の視聴を行わせるようにしてもよい。
【０１１３】
なお、上記実施形態では、他のユーザがメール送信時に視聴命令を実行するタグを組み込むようにしているが、これに限定されるものではなく、コンテンツ提供サーバにおいて自動的にタグを付加するようにしていもよい。例えば、図１ｓに示すメールサーバ１０２や図６に示すＳＮＳサーバ１０３において、コンテンツ（例えば、電子メールのメッセージ、掲示板の書き込みの内容）に放送局名が含まれていると判断した場合に当該放送局で現在放送中の番組を視聴させる視聴命令をコンテンツに記述したり、コンテンツに現在放送中の番組名が含まれていると判断した場合に当該番組名に対応する番組を視聴させる視聴命令を電子メールに記述する等してもよい。
【０１１４】
なお、上記実施形態では、情報端末として、スマートフォン１０１を用いたが、これに限定されるものではなく、例えば、その他の携帯電話、パーソナルコンピュータ、タブレットＰＣなどの情報端末を用いてもよい。
【０１１５】
なお、上記実施形態では、チューナー付きの視聴装置（テレビ受信機１０（図１）、チューナーを内蔵したスマートフォン１０１’（図６））で放送内容データを受信することとしたが、これに限定されるものではない。
【０１１６】
例えば、図１３に示すように、チューナーを有さない情報端末（スマートフォン１０１）を番組視聴装置とし、チューナー付きの無線ルータ５２を介して放送内容データを受信して表示することもできる。なお、図１３に示す実施形態において、チューナーを情報端末の方に設けるようにしてもよいが、チューナー付きの無線ルータ５２を用いることで、チューナーを備えていない情報端末でも、テレビ放送を視聴することができるメリットがある。
【０１１７】
なお、上記実施形態では、携帯電話網からインターネットに接続してコンテンツを閲覧することとしたが（図６）、これに限定されるものではない。例えば、図１３に示すように、無線ルータ５２からインターネットに接続してＳＮＳサーバ１２のコンテンツを閲覧するようにしてもよい。
【０１１８】
なお、上記実施形態では、テレビ放送を視聴する場合について説明したが、その他のリアルタイム放送、例えば、ラジオ放送などに適用してもよい。
【図１】
2013211828.tif 000003
【図２】
2013211828.tif 000004
【図３】
2013211828.tif 000005
【図４】
2013211828.tif 000006
【図５】
2013211828.tif 000007
【図６】
2013211828.tif 000008
【図７】
2013211828.tif 000009
【図８】
2013211828.tif 000010
【図９】
2013211828.tif 000011
【図１０】
2013211828.tif 000012
【図１１】
2013211828.tif 000013
【図１２】
2013211828.tif 000014
【図１３】
2013211828.tif 000015
【図１４】
2013211828.tif 000016
【図１５】
2013211828.tif 000017
【図１６】
2013211828.tif 000018
【図１７】
2013211828.tif 000019
【図１８】
2013211828.tif 000020
【図１９】
2013211828.tif 000021
【図２０】
2013211828.tif 000022
【図２１】
2013211828.tif 000023
【図２２】
2013211828.tif 000024
【図２３】
2013211828.tif 000025